(57)【要約】      （修正有）【課題】超小型タッチキーボードを提供する。【解決手段】キーボード１と、少なくとも一つのタッチパネル１３とからなる。キーボードには、複数のコントロールキー１１及びスペースキー１２が設けられるとともに、キーボード内部には制御モジュールが設けられる。タッチパネルはキーボードに直接設けられることで、コントロールキーがタッチパネルとなる。タッチパネルは、制御モジュールと電気的に接続され、タッチパネルはスペースキー周囲の所定の位置に設けられる。例えば、タッチパネルはスペースキーの左隣或は右隣に別々に設けられるか、或は左隣・右隣の両方に設けられる。タッチパネルの面積は、２×２cm2よりも小さいか、或は等しい。タッチパネルのタッチ制御感度と速度は、所定のソフトによって制御される。使用者は、直接キーボードのタッチパネルを用いてモニターのカーソル等を操作することで制御・指示実行が出来る。【選択図】図２
0003204244.tif 000002
【実用新案登録請求の範囲】
【請求項１】
キーボードと、少なくとも一つのタッチパネルとからなる、超小型タッチキーボードであって、
前記キーボードには、複数のコントロールキー及びスペースキーが設けられるとともに、前記キーボード内部には、少なくとも一つの制御モジュールが設けられ、
前記制御モジュールには、前記タッチパネルと対応してタッチ制御操作を行うためのタッチコントローラが設けられ、
更にタッチコントローラは、高い信号雑音比（ＳＮＲ）・高分解能とスピード・高感度を備え、これにより、前記タッチパネルが限られた面積の下でより高いタッチ制御の精確性を備えるようになり、
前記タッチパネルは、前記キーボード内に設けられるとともに前記制御モジュールと電気的に接続され、且つ前記タッチパネルは、前記スペースキーの右隣、或は左隣の位置に別々に設けられるか、或は、前記スペースキーの右隣及び左隣の位置の両方に設けられ、
更に前記タッチパネルの面積は、２×２cm2よりも小さいか、或は２×２cm2と等しいことを特徴とする、超小型タッチキーボード。
【請求項２】
更に、前記タッチパネルの表面は、平面状・凸型曲面状・凹型陥没面状の中のいずれか一つを呈するように設けられることを特徴とする、請求項１に記載の超小型タッチキーボード。
【請求項３】
更に、前記タッチパネルのタッチ制御の感度、及びスライド移動速度は、所定のソフトによって制御されることを特徴とする、請求項１に記載の超小型タッチキーボード。
【請求項４】
更に、前記タッチパネルは、ＰＥＴポリエステル薄膜（ＭＹＬＡＲ）素材からなるか、
或は前記タッチパネルの表面は、ＰＥＴポリエステル薄膜（ＭＹＬＡＲ）であることを特徴とする、請求項１に記載の超小型タッチキーボード。
【請求項５】
更に、前記制御モジュールは、無線伝送ユニットと、電源ユニットとからなり、
前記無線伝送ユニットは、前記コントロールキー・前記スペースキー・前記タッチパネルとそれぞれ電気的に接続され、
前記コントロールキー・前記スペースキー・前記タッチパネルの信号は、前記無線伝送ユニットを経由して無線送信され、
前記電源ユニットは、前記制御モジュールに電力供給するために用いられることを特徴とする、請求項１に記載の超小型タッチキーボード。
【請求項６】
更に、前記電源ユニットは、前記無線伝送ユニット及び前記タッチパネルに電力供給するために、前記無線伝送ユニット及び前記タッチパネルと電気的に接続されることを特徴とする、請求項５に記載の超小型タッチキーボード。
【請求項７】
更に、前記キーボードは、有線伝送方式で電子機器と接続されることを特徴とする、請求項１に記載の超小型タッチキーボード。
【請求項８】
キーボードと、少なくとも一つのタッチパネルとからなる、超小型タッチキーボードであって、
前記キーボードには、複数のコントロールキー及びスペースキーが設けられるとともに、前記キーボード内部には、少なくとも一つの制御モジュールが設けられ、
前記制御モジュールには、タッチコントローラが設けられ、
前記タッチパネルは、前記キーボード内に設けられるとともに前記制御モジュールと電気的に接続され、且つ前記タッチパネルは、前記スペースキーの右隣、或は左隣の位置に別々に設けられるか、或は、前記スペースキーの左隣及び右隣の位置の両方に設けられ、
更に前記タッチパネルの面積は、２×２cm2よりも小さいか、或は２×２cm2と等しく、
前記タッチコントローラは、前記タッチパネルと対応してタッチ制御操作を行うために用いられるとともに、
前記タッチコントローラは、高い信号雑音比（ＳＮＲ）・高分解能とスピード・高感度を備え、これにより、前記タッチパネルが限られた面積の下でより高いタッチ制御の精確性を備えるようになり、
また更に、前記タッチパネルは、所定の高画質ディスプレイと対応するとともに、前記タッチパネルによって前記高画質ディスプレイに表示されたカーソルが精確に制御されることを特徴とする、超小型タッチキーボード。
【請求項９】
更に、前記タッチパネルの表面は、平面状・凸型曲面状・凹型陥没面状の中のいずれか一つを呈するように設けられることを特徴とする、請求項８に記載の超小型タッチキーボード。
【請求項１０】
更に、前記タッチパネルのタッチ制御の感度、及びスライド移動速度は、所定のソフトによって制御されることを特徴とする、請求項８に記載の超小型タッチキーボード。
【請求項１１】
更に、前記タッチパネルは、ＰＥＴポリエステル薄膜（ＭＹＬＡＲ）素材からなるか、
或は前記タッチパネルの表面は、ＰＥＴポリエステル薄膜（ＭＹＬＡＲ）であることを特徴とする、請求項８に記載の超小型タッチキーボード。
【請求項１２】
更に、前記制御モジュールは、無線伝送ユニットと、電源ユニットとからなり、
前記無線伝送ユニットは、前記コントロールキー・前記スペースキー・前記タッチパネルとそれぞれ電気的に接続され、
前記コントロールキー・前記スペースキー・前記タッチパネルの信号は、前記無線伝送ユニットを経由して無線送信され、
前記電源ユニットは、前記制御モジュールに電力供給するために用いられることを特徴とする、請求項８に記載の超小型タッチキーボード。
【請求項１３】
更に、前記電源ユニットは、前記無線伝送ユニット及び前記タッチパネルに電力供給するために、前記無線伝送ユニット及び前記タッチパネルと電気的に接続されることを特徴とする、請求項１２に記載の超小型タッチキーボード。
【請求項１４】
更に、前記キーボードは、有線伝送方式で電子機器と接続されることを特徴とする、請求項８に記載の超小型タッチキーボード。
【考案の詳細な説明】
【技術分野】
【０００１】
本考案は、超小型タッチキーボードに関し、特に、タッチパネルがキーボード内に直接設けられることで、キーボードの一つのコントロールキーがタッチパネルをなすとともに、前記タッチパネルがスペースキーの左隣或は右隣の位置に別々に設けられるか、また或は、左隣・右隣の両方に設けられてなる、超小型タッチキーボードに関する。
【背景技術】
【０００２】
図１を参照する。ノート型パソコンについて述べると、従来のノート型パソコンＡは、持ち運びの利便性や軽量化・簡便化のために、ノート型パソコンＡの本体に、キーボードモジュールＡ１が設けられ、これにより使用者が別途キーボードを接続せずに済むようにしている。しかし、ノート型パソコンＡのキーボードモジュールＡ１は、複素数型の入力モードしか備えていない。このため、パソコン使用者がモニターのカーソルを操作して、制御や指示を行い易くするために、ノート型パソコンＡの本体キーボードモジュールＡ１外側に、独立型のタッチパネルＡ２が別途設けられるとともに、タッチパネルＡ２によってマウス機能が代替される。これにより、タッチパネルＡ２を用いてモニターのカーソルを操作することで、制御や指示実行が可能になる。
【考案の概要】
【考案が解決しようとする課題】
【０００３】
よって、如何にして、キーボード内に備えられたコントロールキーユニットを用いるとともに、限られた面積条件と相対的位置関係のもとで、タッチ操作・素早いカーソル移動・制御と指示実行における便利性を同時に兼ね備えたタッチモードを実現するかが、本考案が解決しようとする主な課題である。
【０００４】
本考案は、タッチパネルのタッチ制御感度とカーソルの移動速度を所定のソフトによって制御することにより、使用者の指がタッチパネルの有効面積内に触れた時に、高い感度でモニターのカーソルをスライド移動させて制御・実行を行うことが可能な、超小型タッチキーボードを提供することを目的とする。
【課題を解決するための手段】
【０００５】
本考案において、タッチパネルは直接キーボードの内部に設けられるとともに、スペースキーの左隣、或は右隣の位置に別々に設けられるか、或は、左隣・右隣の両方に設けられ、且つ前記タッチパネルの面積は２×２cm2よりも小さいか、或は等しくなるように設けられる。これにより、使用者は直接キーボード内のタッチパネルを通してタッチ制御操作することが可能になる（例えば、素早いカーソル移動、制御・指示実行のタッチ制御モード…等）。また、マウス装置を外付けしたり、キーボードモジュールの外部に別途タッチパネルを加えたりする必要が無くなる。
【図面の簡単な説明】
【０００６】
【図１】従来のキーボードとタッチパネルが別々にノート型パソコンに設けられた様子を示した概略図である。
【図２】本考案のキーボードの実施例１を示した俯瞰図である。
【図３】本考案のキーボードの実施例１を示した側面視図である。
【図４】本考案のキーボードの実施例２を示した俯瞰図である。
【図５】本考案のキーボードにおけるキーの外観を示した側面視図である。
【図６】本考案のキーボードの実施例３を示した概略図である。
【図７】本考案の図６において丸で示した部分の拡大図である。
【図８】本考案のキーボードの構造を示したブロック図である。
【考案を実施するための形態】
【０００７】
（実施例１）
図２、図３を参照する。本考案が提供する超小型タッチキーボードは、キーボード１と、少なくとも一つのタッチパネル１３とからなる。
【０００８】
キーボード１は、メカニカル式キーボード・メンブレン式キーボード・その他の種類のキーボードモジュールのいずれか一つである。ただし、これらに限らない。
【０００９】
図２を参照する。ここで挙げるキーボード１は、折畳み式であるとともに、キーボード１には、複数のコントロールキー１１及びスペースキー１２が設けられる。更に、キーボード１内部には、少なくとも一つの制御モジュール１０が設けられる。制御モジュール１０には、タッチコントローラ（例えば：ＣＦＮタッチコントローラ）が設けられる（図８を参照）。
【００１０】
（実施例１）（実施例２）
タッチパネル１３は、キーボード１内に直接設けられるとともに、キーボード１に設けられた制御モジュール１０と電気的に接続される。更に、タッチパネル１３は、スペースキー１２の右隣の位置（図２参照）に設けられるか、或は左隣の位置に別々に設けられる（図４参照）。また或は、スペースキー１２の左隣・右隣の位置の両方に設けられる。また、タッチパネル１３の面積は、２×２cm2よりも小さいか或は等しい。このほか、タッチパネル１３の表面は、平面状、凸型曲面状、或は凹型陥没面状を呈するように設けられる（図５参照）。
【００１１】
タッチパネル１３は、マイラーフィルム（ＭＹＬＡＲ）素材からなることが出来る。或は、タッチパネル１３の表面は、マイラー（ＭＹＬＡＲ）素材である。前記マイラー（ＭＹＬＡＲ）素材は、ＰＥＴポリエステル薄膜であり、低吸水性・低収縮性・高耐熱性・良好な絶縁性等の特性を有しているため、タッチパネルの表面構造に設けられる最も望ましい素材である。
【００１２】
制御モジュール１０のＣＦＮタッチコントローラは高い信号雑音比（ＳＮＲ）及び高い分解能を有し、これによりタッチパネル１３は限られた面積の下で、より高いタッチ制御の精確性を備えることが可能になる。以上により、タッチパネル１３は所定の高画質ディスプレイと対応するとともに、タッチパネル１３によって高画質ディスプレイに表示されたカーソルを精確に制御することが可能になる。前記高画質ディスプレイは、ＨＤ（Ｈｉｇｈ  Ｄｅｆｉｎｉｔｉｏｎ）画質を備えたディスプレイであるか、或はＦｕｌｌ  ＨＤ画質以上のディスプレイであることが可能である。
【００１３】
また、本考案の実施例において、タッチパネル１３は、静電容量方式であることも可能である。使用者の指がタッチパネル１３に接触した時、タッチパネル１３の静電容量が変化するとともに、キーボード１に設けられた制御モジュールが静電容量の変化量を検出し、且つ座標に変換することで使用者の指の位置の移動方向・移動量と照し合せる。
【００１４】
タッチパネル１３のタッチ制御の感度と速度は、所定のソフトによって制御される。これにより、使用者の指がタッチパネル１３の限られた面積内において、高感度でモニターのカーソルを操作して制御と指示実行を行うことが出来る。
【００１５】
（実施例３）
合わせて図６、７、８を参照する。キーボード１は、無線伝送（例：ブルートゥース）方式で電子機器２と接続される。例えば、制御モジュール１０は、無線伝送ユニット１０１（例：ブルートゥース伝送ユニット）と、電源ユニット１０２とからなる。無線伝送ユニット１０１は、複数のコントロールキー１１・スペースキー１２・タッチパネル１３と電気的に接続される。これにより、複数のコントロールキー１１・スペースキー１２・タッチパネル１３の信号は、無線伝送ユニット１０１を経由して無線送信されるとともに、更にキーボード１は、無線伝送ユニット１０１を通して電子機器２と接続される。
【００１６】
また、電源ユニット１０２は、主に制御モジュール１０に電力を供給するとともに、電源ユニット１０２を経由して無線伝送ユニット１０１及びタッチパネル１３とそれぞれ電気的に接続される。これにより、無線伝送ユニット１０１及びタッチパネル１３に電力が供給される。電源ユニット１０２は、一次電池、或は充電式電池である。
【００１７】
キーボード１は、無線伝送（例：ブルートゥース）方式で電子機器２と接続される。タッチパネル１３は、キーボード１内に直接設けられるとともに、スペースキー１２の右隣の位置、或は左隣の位置に別々に設けられるか、或は、スペースキー１２の左隣・右隣の位置の両方に設けられる。使用者がキーボード１を操作する時、スペースキー１２と相対した位置は、最も便利且つ素早くタッチパネル１３に移動出来る位置である。よって、使用者は、直接キーボード１内のタッチパネル１３を用いて、電子機器２モニターのカーソルを操作することで、制御と各種指示の実行を行うことが出来るため、別途マウス装置を外付けしたり、キーボードモジュール外部に別途タッチパネルを加えたりする必要が無くなる。
【００１８】
また、キーボード１は、有線伝送方式で電子機器２と接続されることも可能である。
【符号の説明】
【００１９】
（従来技術）
Ａ    ノート型パソコン
Ａ１    キーボードモジュール
Ａ２    タッチパネル
（本考案）
１    キーボード
１０    制御モジュール
１０１    無線伝送ユニット
１０２    電源ユニット
１１    コントロールキー
１２    スペースキー
１３    タッチパネル
２    電子機器
【図１】
0003204244.tif 000003
【図２】
0003204244.tif 000004
【図３】
0003204244.tif 000005
【図４】
0003204244.tif 000006
【図５】
0003204244.tif 000007
【図６】
0003204244.tif 000008
【図７】
0003204244.tif 000009
【図８】
0003204244.tif 000010